(57)【要約】      （修正有）【課題】１．耕作土そのものが施肥を必要としない沃土にする耕作方法を提供する。２．雑草などに妨げられず作物を生長させる耕作方法を提供する。３．省経費の耕作方法を提供する。【解決手段】１．倒伏防止対策は採られているため有機材を敷設混合し肥沃化を図る。２．装置で防草有機シートを敷設し防草対策を講じる。３．耕作作業の装置化施設を利用した耕作装置を利用した耕作方法である。【選択図】図１０
2010057387.tif 000002
【特許請求の範囲】
【請求項１】
特願２００８−２１２７４８に記載する耕作作業の装置化施設（以下、耕作作業の装置化施
設という）を利用して稼動する次期特許出願文献に記載する有機材敷設装置（以下、有機材敷設装置という）で、耕作土の肥沃化を目的に樹木や竹などの有機物や有機質の廃材を切削粉砕処理したもの（以下、処理物Ａという）を発酵させた次期特許出願文献に記載する有機材（以下、有機材−１という）を敷設し、前記耕作作業の装置化施設を利用して稼動する次期特許出願文献に記載する耕転装置（以下、耕転装置という）が耕作土と混合することによって該耕作土を肥沃化させることに伴い作物がより多くの実りをもたらし穂の重量が増加しても倒伏を防止し得ることを特徴とする前記特願２００８−２１２７４８に記載する倒伏防止施設（以下、倒伏防止施設という）を利用する耕作方法。
【請求項２】
前記有機材敷設装置で前記処理物Ａと生ごみや糞尿などを混合し発酵させた次期特許出願文
献に記載する有機材（以下、有機材−２という）を敷設し、前記耕転装置が耕作土と混合することを特徴とする請求項１記載の耕作方法。
【請求項３】
前記有機材敷設装置で次期特許出願文献に記載する未発酵の前記処理物Ａ（以下、有機材−３という）を敷設し、発酵後、前記耕転装置が耕作土と混合することを特徴とする請求項１記載の耕作方法。
【請求項４】
前記有機材敷設装置で前記処理物Ａと生ごみや糞尿などを混合し未発酵の次期特許出願文献
に記載する有機材（以下、有機材−４という）を敷設し、発酵後、前記耕転装置が耕作土と混合することを特徴とする請求項１記載の耕作方法。
【請求項５】
前記有機材敷設装置で前記有機材−３或いは４を敷設後、後述の有機シート敷設装置で有機シート−１或いは２を敷設し、該有機材−３或いは４を被覆し発酵後、前記耕転装置が耕作土と混合することを特徴とする請求項１記載の耕作方法。
【請求項６】
次期特許出願文献に記載する特殊車両（以下、特殊車両という）で前記有機材−１或いは２を敷設し、前記耕転装置で耕作土と混合することを特徴とする請求項１記載の耕作方法。
【請求項７】
前記特殊車両で前記有機材−３或いは４を敷設した後に、後述の有機シート敷設装置が有機シートを敷設し該有機材−３或いは４を被覆し発酵後、前記耕転装置が耕作土と混合することを特徴とする請求項１記載の耕作方法。
【請求項８】
前記耕作作業の装置化施設を利用した次期特許出願文献に記載する有機シート敷設装置（以
下、有機シート敷設装置という）で、樹木や竹などの有機物や有機質の廃材などを切削粉砕処理したもの（以下、処理物Ｂという）をシート状に成型加工した次期特許出願文献に記載する有機シート（以下、有機シート−１という）を敷設し、該耕作作業の装置化施設を利用した次期特許出願文献に記載する種子蒔き装置（以下、種子蒔き装置という）で種子を蒔くことによって、該有機シート−１が作物の生長を妨げる雑草などの防除機能を果たし、蒔かれた種子が雑草などに生育を妨げられず生長した後に、該有機シート−１が圃場の土になり得ることを特徴とする該耕作作業の装置化施設を利用する請求項１記載の耕作方法。
【請求項９】
前記有機シート敷設装置で前記処理物Ｂと木竹炭の粉などの遮光性の高い有機物を混合して
シート状に成型加工した次期特許出願文献に記載する有機シート（以下、有機シート−２という）を敷設し、前記種子蒔き装置で種子を蒔くことによって、該有機シート−２が作物の生長を妨げる雑草などの防除機能を果たし、蒔かれた種子が雑草などに生育を妨げられず生長した後に、該有機シート−２が圃場の土になり得ることを特徴とする該耕作作業の装置化施設を利用する請求項１記載の耕作方法。
【請求項１０】
前記種子蒔き装置で種子を蒔いた後に、前記耕作作業の装置化施設を利用して稼動する次期
特許出願文献に記載する防鳥ネット設置装置（以下、防鳥ネット設置装置という）が、前期特願２００８−２１２７４８に記載する連結部材−２を利用して、次期特許出願文献に記載する防鳥ネット（以下、防鳥ネットという）を設置することを特徴とする該耕作作業の装置化施設を利用する請求項１記載の耕作方法。
【発明の詳細な説明】
【技術分野】
【０００１】
本願発明は、耕作作業の装置化施設を利用した作物の種子蒔き方法並びに防草、防鳥と圃場の肥沃化方法に関する。
【背景技術】
【０００２】
先に本願発明が母体施設として利用する耕作作業の装置化施設である文献を記載する。
【特許文献１】特願２００８−２１２７４８
【０００３】
従来における耕作方法は、本願発明のように耕作作業の装置化施設を利用することで以下に記載する耕作方法を提供する技術は公知されていないものであった。
１．有機材敷設装置や特殊車両で有機材−１或いは２を、敷設し耕転装置で有機材−１或いは２と耕作土を混合することで肥沃化を行う耕作方法。
２．有機材敷設装置や特殊車両で有機材−３或いは４を敷設し防草を兼ねて発酵させた後に、耕転装置で有機材−３或いは４と耕作土を混合することで肥沃化を行う耕作方法。
３．有機材敷設装置や特殊車両で有機材−３或いは４を敷設後、有機シート敷設装置で有機シート−１或いは２を敷設することで有機材−３或いは４を被覆し発酵させた後に、耕転装置で有機材−３或いは４と有機シート１或いは２と耕作土を混合することで肥沃化を行う耕作方法。
４．有機シート敷設装置で有機シート−１或いは２を敷設しその上に種子蒔き装置で種子を蒔くことで有機シート−１或いは２の下側は、太陽光線が遮断され雑草の発芽と生長を防止すると共に、有機シート−１或いは２の上側の作物の種子は太陽光線を十分に受けることで、根は有機シート−１或いは２を貫いて耕作土中に伸長し上部は雑草に妨げられず生長させる耕作方法。
５．種子蒔き装置で種子を蒔いた後に防鳥ネット設置装置で防鳥ネットを設置し防鳥することで作物を発芽させ生長させる耕作方法。
６．以上に記載することを繰り返すことで、耕作の度に圃場が肥沃化する耕作方法。
【発明の開示】
【発明が解決しようとする課題】
【０００４】
１．従来の耕作方法で行われる施肥は、作物が倒伏しない範囲で収穫しようとする作物を生長させるために行うことが主目的であって、耕作土そのものを肥沃化させることは考えられていないものであるため、倒伏防止施設を利用した耕作を行うことで作物が倒伏から免れ、耕作土そのものを肥沃化し施肥を必要としない沃土にする方法を提供することを本願発明における第１課題とする。
２．従来の耕作方法で行われる防草処理は、除草剤を用いる方法は人体への影響が懸念され、除草機械などを用いる方法は多大な労力を必要とするものであるであるため、除草剤や除草機械などを用いずに雑草そのものを防除することで、雑草などに妨げられず作物を生長させ栽培する方法を提供することを本願発明における第２課題とする。
３．従来の耕作で行われる人間が機械を操作する方法は、多大な労力や経費を要するものであるため、耕作作業の装置化施設を利用した装置を用いることによって最小限の労力と経費で耕作を行う方法を提供することを本願発明における第３課題とする。
【課題を解決するための手段】
【０００５】
それでは、本願発明における耕作作業の装置化施設を利用した耕作装置と特殊車両を利用して、前記課題を解決するための耕作方法を以下に記載する。
【０００６】
有機材を用いる目的について
本願発明で用いる有機材は、前記するとおり従来用いられている施肥のように肥料としての効果を主目的にするものではなく、耕作プロセスの中で肥料としての機能を果たすことはあっても耕作土自体を肥沃化することを主目的とするものであって、作物の耕作に適した土作りを行うことで施肥を必要としない耕作土の沃土化を図るものである。
【０００７】
そのために、原料となる樹木を採取後もゼロコストで山野に自然に植生する樹木や竹などの有機物や有機質の廃材を主原料として利用するものである。
従来の耕作方法では、作物の実りが多ければ倒伏するため耕作土を肥沃化することは、望むべくもないことであったが、倒伏に関しては前記特願２００８−２１２７４８に記載する倒伏防止施設で対応が成されるため、本願発明では有機材を圃場に敷設し耕作土と混合することで耕作土の肥沃化を促進することに向け如何なく取り組むものである。
なお、本願発明に記載する有機材−１、２及び有機材−３、４の製造方法並びに製造装置は次期特許出願文献に記載するものである。
【０００８】
有機材を用いる方法について
製造された有機材は前記のとおり、次期特許出願文献に記載される専用の特殊車両や有機材敷設装置で敷設されるものである。
この場合、有機材−１、２は発酵させたものであるため敷設後直ちに耕作土と混合することも可能であるが、有機材−３、４は圃場に敷設後、防草を兼ねて発酵させた後に耕転装置で耕作土と混合するものである。
なお、本願発明に記載する有機材敷設装置及び特殊車両は次期特許出願文献に記載するものである。
【０００９】
防草有機シートを用いる目的について
前記第１課題を解決するために耕転装置で有機物と耕作土を混合すると耕作土が肥沃化することに伴って雑草もより一層繁茂することは回避し難いことである。
そのため、太陽光線を遮断し植物の根と芽の習性や特徴を研究し開発され有機物の原料を
利用して製造されたものであって、吸水性を有し雑草の発芽を抑制し植物の芽が貫通し難い構造上の特徴を有するため、雑草を防除することを目的に敷設するものである。
また、有機材−３或いは４の敷設後に有機シートで被覆する理由は、更なる防草対策を講じることや特に有機材−４を用いる場合は、防虫、防臭を目的に敷設するものである。
なお、本願発明に記載する有機シートの製造方法並びに製造装置は次期特許出願文献に記載するものである。
【００１０】
防草有機シートを用いる方法について
製造された有機シートを圃場に搬入し有機シート敷設装置で有機シートを敷設するものである。
なお、本願発明に記載する有機シート敷設装置は次期特許出願文献に記載するもので
ある。
【００１１】
有機シートの形状、寸法なども用途に応じて、単体の物から複数枚が折りたたまれた物やロール式などであって、厚さも１ミリ程度から１０ミリ程度の物まで利用できるものである。
また、前記特願２００８−２１２７４８に記載するとおり、耕作作業の装置化施設や圃場はＸＹＺの三次元データで管理されているため、それぞれの圃場に応じた有機シートが製造され配布されるものである。
【００１２】
したがって、変則的な形状をした圃場であっても所定の有機シートを圃場の特定される位置に敷設することで圃場全体が覆われるものである。
そのため、畦畔をはじめ必要とされる圃場附近も覆うことで雑草の仮払い面積が激減することに伴い労力も軽減されるものである。
【００１３】
更に蒔かれた種子の移動防止を目的に有機シート上部面を荒くしたものや凹凸を設けたものなども採用されるものである。
なお、本願発明に記載するＸＹＺの三次元データの管理方法並びに管理装置は次期特許出願文献に記載するものである。
【００１４】
それでは、請求項の記載内容に基づき以下に記載する。
【００１５】
請求項１記載事項は、有機材−１を有機材敷設装置で敷設後、耕転装置で耕作土と肥沃化有機材−１を混合することで耕作土を肥沃化させるものである。
そのため、耕作土の肥沃化に伴い作物がより多くの実りをもたらすことで、穂の重量が増加しても倒伏防止施設を利用することで倒伏を防止する耕作方法を提供するものである。
【００１６】
請求項２記載事項は、有機材−２を有機材敷設装置で敷設後、耕転装置で耕作土と肥沃化有機材−２を混合することで耕作土を肥沃化させるものである。
その他については前記請求項１の記載事項に同様の方法を講じるものである。
【００１７】
請求項３記載事項は、有機材−３を有機材敷設装置で敷設後、防草を兼ねて有機材−３の発酵をさせた後に、耕転装置で耕作土と有機材−３を混合することで耕作土を肥沃化させるものである。
その他については前記請求項１の記載事項に同様の方法を講じるものである。
【００１８】
請求項４記載事項は、有機材−４を有機材敷設装置で敷設後、防草を兼ねて有機材−４を発酵させた後に、耕転装置で耕作土と有機材−４を混合することで耕作土を肥沃化させるものである。
その他については前記請求項１の記載事項に同様の方法を講じるものである。
【００１９】
請求項５記載事項は、有機材−３或いは４を有機材敷設装置で敷設後、有機シート−１或いは２を有機シート敷設装置で敷設し有機材−３或いは４を発酵させた後に、耕転装置で耕作土と有機材−４を混合することで耕作土を肥沃化させるものである。
その他については前記請求項１の記載事項に同様の方法を講じるものである。
【００２０】
請求項６記載事項は、有機材−１、２及び有機材−３を専用の特殊車両で敷設後、有機材−１、２にあっては直ちに耕転装置で耕作土と混合するものであって、有機材−３は防草を兼ねた発酵を待って耕転装置で耕作土と混合するものである。
その他については前記請求項１の記載事項に同様の方法を講じるものである。
【００２１】
請求項７記載事項と請求項５記載事項の相違点は、請求項に記載するとおり有機材−４を専用の特殊車両と有機材敷設装置で敷設することの相違である。
その他については前記請求項１の記載事項に同様の方法を講じるものである。
【００２２】
請求項８記載事項は、作物の植え付け準備の整った圃場に防草機能を有する有機シート−１を有機シート敷設装置で敷設後、種子蒔き装置で種子を蒔くことによって前記するとおり、有機シート−１が雑草などを防除することで作物を生長させるものである。
更に作物の収穫後、有機物で作られた有機シート−１は圃場の土に同化させる耕作方法を講じるものである。
【００２３】
請求項９記載事項は、木竹炭の粉など遮光性の高い有機物を加えることでより一層の太陽光線の遮断を強化した有機シート−２を用いるものであって、その他は前記請求項８の記載事項に同様の耕作方法を講じるものである。
【００２４】
請求項１０記載事項は、有機シート敷設装置で有機シートを敷設し種子蒔き装置で種子を蒔いた後に防鳥ネット設置装置で防鳥ネットを設置するものである。
【発明の効果】
【００２５】
耕作土を作物の栽培に適した沃土にすることによって施肥を要さず品質と収量の向上の実現に加えて、農業における費用対効果をアンバランス化させ、ひいては、日本の農業を衰退させてきた経費を激減させる。
【発明を実施するための最良の形態】
【００２６】
ここで前記主要資材を機能させる前期特願２００８−２１２７４８に記載する耕作作業の装置化施設を利用して稼動する次期特許出願される装置などを以下に記載する。
１．有機材敷設装置及び方法
２．特殊車両及び方法
３．有機シート敷設装置及び方法
４．耕転装置及び方法
５．種子蒔き装置及び方法
６．防鳥ネット設置装置及び方法
７．圃場と耕作作業の装置化施設を三次元座標で管理するプログラム並びにシステム及び方法
８．管理された三次元座標を元に防草有機シート−１と防草有機シート−２を製造するプログラム並びにシステム及び方法
９．管理された三次元座標を元に各装置を稼動させるプログラム並びにシステム及び方法
１０．管理された三次元座標と耕作土や主要資材をはじめ耕作に係る全てのデータを管理することで各装置をコンピュータ制御で稼動させるプログラム並びにシステム及び方法
【００２７】
次に本願発明における耕作方法に係る主要資材であって、次期特許出願文献に記載されるものを以下に記載する。
１．有機材−１と有機材−２
２．有機材−３と有機材−４
３．有機シート−１と有機シート−２
４．防鳥ネット
【００２８】
更に本願発明で利用される前期特願２００８−２１２７４８に記載する施設を以下に記載する。
１．耕作作業の装置化施設
２．倒伏防止施設
【００２９】
更に前記「００２５」に記載する装置と「００２６」に記載する資材の組み合わせや機能及び方法についての概要を以下に記載する。
【００３０】
有機材敷設装置が敷設する資材は、有機材−１と有機材−２及び化有機材−３と有機材−４を敷設するものである。
有機材敷設装置はコンピュータで制御されるものであるため、有機材敷設装置の有機材収納庫に有機材を搬入し所定の操作を行うことにより有機材敷設装置が稼動し敷設するものである。
【００３１】
特殊車両が敷設する資材は、有機材−１と有機材−２及び有機材−３と有機材−４を敷設するものである。
各種有機材と有機材敷設装置と特殊車両の組み合わせは、耕作条件や用途などに応じて適宜に利用されるものである。
【００３２】
防草有機シート敷設装置が敷設する資材は、有機シート−１と有機シート−２であって、有機シート−１と有機シート−２の利用も耕作条件や用途などに応じて適宜に設定され利用されるものである。
有機シート敷設装置もコンピュータで制御されるものであるため、有機シート敷設装置に有機シートを取り付け所定の操作を行うことにより有機材敷設装置が稼動し敷設するものである。
【００３３】
耕転装置の稼動は、耕作条件や用途などに応じて有機材−１と有機材−２及び有機材−３と有機材−４や有機シート−１と有機シート−２が適宜に敷設されるためそれらに合わせて利用するものである。
耕転装置もコンピュータで制御されるものであるため、所定の操作を行うことにより耕転装置が稼動し耕作土と混合されるものである。
【００３４】
種子蒔き装置の稼動は、耕作条件や用途などに応じて防草有機シート−１と防草有機シート−２が適宜に敷設されたのちに利用され種子が蒔かれるものである。
種子蒔き装置もコンピュータで制御されるものであるため、種子蒔き装置の種子収納庫に搬入し所定の操作を行うことにより種子蒔き装置が稼動し種子が蒔かれるものである。
【００３５】
防鳥ネット設置装置の稼動は、種子蒔き装置が稼動し種子が蒔かれたのちに利用され防鳥ネットが設置されるものである。
防鳥ネット設置装置もコンピュータで制御されるものであるため、防鳥ネット設置装置の防鳥ネット装着部取り付け所定の操作を行うことにより防鳥ネット設置装置が稼動し防鳥ネットが設置されるものである。
【００３６】
圃場と耕作作業の装置化施設は、三次元座標で管理されプログラムとして構築しシステム化されているため、有機シートなどの資材はそれぞれの圃場に応じて所定の形状、寸法に製造されるものである。
【００３７】
また、三次元管理されていることで有機シートなどの敷設も圃場ごとにコンピュータ制御されて敷設されるものである。
それは有機シートの敷設に限らず、耕作土や主要資材をはじめ耕作に係る全てのデータが管理されているために、耕作装置はコンピュータ制御で稼動するものである。
【００３８】
それらの装置や資材及び個別の耕作方法の詳細については、次期特許出願文献に記載するものである。
【実施例】
【００３９】
それでは、図面を参照し以下に記載する。
【００４０】
本願発明における有機材の敷設方法について図１を参照し以下に記載する。
【００４１】
耕作作業の装置化施設である支柱  2の上部に取り付けられた連結部材  2を軌道として機能する装置本体  4にアタッチメントである有機材収納庫と一体化された有機材敷設部  5を装着することで有機材敷設装置として稼動するものであって、有機材収納庫に図示されない各種の有機材を搬入し圃場面  1に所定量の各種の有機材  6を敷設するものである。
【００４２】
種類の異なる有機材の利用方法は前記するとおりであるが、発酵させた有機材−１、２は敷設後直ちに耕作土と混合し未発酵の有機材−３、４は、防草効果を兼ねて発酵させた後に耕作土と混合することを一般的な耕作方法とするものである。
【００４３】
図１に記載される敷設装置は例示物であって、支柱  3幅と同じ有機材敷設装置であるがこれに限定されるものではなく、連結部材  ３をガイドとして利用する耕作装置などについても次期特許出願文献に記載されるものである。
また、特願２００８−２１２７４８に記載するとおり耕作装置は、連結部材−２や次期特許出願文献に記載する部材を介し圃場間を移動することが可能であるためアタッチメントを設けず用途毎に機能する一体式の耕作装置も製造されるものである。
更に次期特許出願文献に記載される図示されない特殊車両で各種の有機材  6を所定量敷設する方法も利用可能である。
【００４４】
続いて、本願発明における有機材の混合方法について図１、２を参照し以下に記載する。
支柱  2の上部に取り付けられた連結部材  2を軌道として機能する装置本体  4のアタッチメントである耕転部  5aを装着することで耕転装置として稼動するものであって、圃場面  1に敷設された各種の有機材  6を耕転装置が耕作土と混合  7を行うものである。
【００４５】
図２に記載される耕転装置は例示物であって、前記有機材敷設装置同様、次期特許出願文献に記載されるものである。
【００４６】
続いて、本願発明における有機シートの敷設方法について図３を参照し以下に記載する。
耕作作業の装置化施設である支柱  2の上部に取り付けられた連結部材  2を軌道として機能する装置本体  4のアタッチメントである有機シート装着部と一体化した有機シート敷設部  5bを装着することで有機シート敷設装置として稼動するものであって、有機シート装着部に各種の有機シートを装着し圃場面  1に各種の有機シート  8を敷設するものである。
【００４７】
当該有機シート敷設装置も前記有機材敷設装置、耕転装置同様、図３に記載される有機シート敷設装置は例示物であって、次期特許出願文献に記載されるものである。
【００４８】
続いて、本願発明における種子蒔き装置の種子蒔き方法について図４を参照し以下に記載する。
耕作作業の装置化施設である支柱  2の上部に取り付けられた連結部材  2を軌道として機能する装置本体  4のアタッチメントである種子収納庫と一体化された種子蒔き部  5cを装着することで種子蒔き装置として稼動するものであって、種子収納庫に図示されない各種の種子を搬入し圃場面  1に敷設された有機シート  8の上面に所定量の種子  9を蒔くものである。
【００４９】
当該種子蒔き装置も前記有機材敷設装置、耕転装置、有機シート敷設装置同様、図４に記載される種子蒔き装置は例示物であって、次期特許出願文献に記載されるものである。
【００５０】
続いて、本願発明における防鳥ネット設置装置の設置方法について図５、６を参照し以下に記載する。
耕作作業の装置化施設である支柱  2の上部に取り付けられた連結部材  2を軌道として機能する装置本体  4のアタッチメントである防鳥ネット装着部と一体化された防鳥ネット設置部  5dを装着することで防鳥ネット設置装置として稼動するものであって、防鳥ネット装着部に防鳥ネットを取り付け稼動させることによって、連結部材  3に防鳥ネット  12を設置するものである。
【００５１】
当該防鳥ネット設置装置も前記有機材敷設装置、耕転装置、有機シート敷設装置、種子蒔き装置同様、図５、６に記載される防鳥ネット設置装置は例示物であって、次期特許出願文献に記載されるものである。
【００５２】
続いて、本願発明における有機シートと種子及び雑草などの種子について図７を参照し以下に記載する。
【００５３】
有機シート  8自体については前記記載する事項や次期特許出願文献に詳述するため本願発明では方法を述べるものであるが、圃場面  1に敷設された有機シート  8は吸水性を有し太陽光線を遮断することでシート下側から雑草など  10の発芽を抑制し発芽した場合もシートを貫くことができない構造を有するものであって、有機シート  8の上面は蒔かれた作物の種子  9が風などで水面  11が波打っても移動し難い構造を有するものである。
【００５４】
続いて、本願発明における有機シートと種子について図８を参照し以下に記載する。
【００５５】
圃場面  1に敷設された有機シート  8に蒔かれ発芽した作物の種子  9aは、前記するとおり太陽光線を十分に受け有機シート  8に保護され発育するものである。
作物の種子  9aの根は、有機シート  8の下部から来る栄養素を求め有機シート  8を貫き耕作土に伸長していくものである。
【００５６】
続いて、本願発明における防草有機シートと生育途上の作物について図９を参照し以下に記載する。
【００５７】
圃場面  1に敷設された有機シート  8に蒔かれ発芽した生育途上の作物  9bは、前記するとおり太陽光線を十分に受け有機シート  8に保護され発育するものである。
生育途上の作物  9bの根が生長するに従い有機物である有機シート  8は、作物の生長力と水や水中の微生物などに次第に融解されるものである。
そのため、ますます生長することで作物の株も張り根は縦横に伸長するものである。
【００５８】
続いて、本願発明における有機シートと成熟した作物について図１０を参照し以下に記載する。
【００５９】
圃場面  1に敷設された有機シート  8に蒔かれ成熟した作物  9cは、前記するとおり太陽光線を十分に受け有機シート  8に保護され発育してきたものである。
成熟した作物  9cの生長段階において、有機物である有機シート  8は、株や根が生長する勢いと水や水中の微生物などにますます融解されるものである。
そのため、ますます生長することで作物の株も張り根は縦横に伸長するものである。
【産業上の利用可能性】
【００６０】
本発明に係る耕作方法は、現在の工業的技術で利用可能であるため産業上の利用可能性を有する。
【図面の簡単な説明】
【００６１】
【図１】耕作作業の装置化施設を利用する次期特許出願文献に記載する有機材敷設装置が有機材の敷設を示す構造図。
【図２】耕作作業の装置化施設を利用する次期特許出願文献に記載する耕転装置が有機材と耕作土の混合を示す構造図。
【図３】耕作作業の装置化施設を利用する次期特許出願文献に記載する有機材敷設装置が有機材の敷設を示す構造図。
【図４】耕作作業の装置化施設を利用する次期特許出願文献に記載する種子蒔き装置の種子蒔きを示す構造図。
【図５】耕作作業の装置化施設を利用する次期特許出願文献に記載する防鳥ネット設置装置が防鳥ネットの設置を示す構造図。
【図６】設置された防鳥ネットの状態を示す構造図。
【図７】有機シートと種子及び雑草などの種子を示す構造図。
【図８】有機シートと種子を示す構造図。
【図９】有機シートと生育途上の作物を示す構造図。
【図１０】有機シートと成熟した作物を示す構造図。
【符号の説明】
【００６２】
１  圃場面
２  特願２００８−２１２７４８に記載する支柱
３  特願２００８−２１２７４８に記載する連結部材−２
４  耕作作業の装置化施設を利用する次期特許出願文献に記載する装置本体
５  耕作作業の装置化施設を利用する次期特許出願文献に記載する本体に装着するアタッチメント
６  敷設された有機材
７  混合された有機材と耕作土
８  敷設された有機シート
９  蒔かれた作物の種子
１０  耕作土に含まれる雑草などの種子
１１  水面
１２  防鳥ネット
【図１】
2010057387.tif 000003
【図２】
2010057387.tif 000004
【図３】
2010057387.tif 000005
【図４】
2010057387.tif 000006
【図５】
2010057387.tif 000007
【図６】
2010057387.tif 000008
【図７】
2010057387.tif 000009
【図８】
2010057387.tif 000010
【図９】
2010057387.tif 000011
【図１０】
2010057387.tif 000012